(57)【特許請求の範囲】
【請求項１】
発電機または電動機に縦型に配置したロータを抜き出し、抜き出されたロータを横転させ、一対の支持架台上に回転自在に載置してロータの点検・修理等を行うロータ保守装置であって、前記一対の支持架台の一方の支持架台には、該支持架台上を前後方向に移動可能なロータ保持手段を有し、該ロータ保持手段が、抜き出されたロータのシャフトの一端部を保持するロータホルダーと該ロータホルダーを上下方向に回動可能に支持するボールジョイントを備え、前記ボールジョイントは、前記ロータホルダーの底部に支柱を介して設けられたボールと、前記支持架台上を前後方向に移動可能に配置され、前記ボールを回転自在に保持するハウジングとから構成され、前記一対の支持架台の各々には、載置したロータを回転可能とするように、ロータのシャフトを支持するシャフトローラ台を有することを特徴とするロータ保守装置。
【請求項２】
前記ハウジングが、他方の支持架台に対向する部位に前記支柱が通過できるスリットが設けられていることを特徴とする請求項１に記載のロータ保守装置。
【請求項３】
前記ハウジングが、保持されたボールの抜けを防止するハウジングカバーを有し、該ハウジングカバーが、前記支柱を通過させるスリットを有し、該スリットが前記ハウジングに設けたスリットと連接していることを特徴とする請求項２に記載のロータ保守装置。
【請求項４】
前記ロータホルダーが、ロータシャフトの端部を収容する凹部を有する有底の筒状部材で形成されていることを特徴とする請求項１乃至３のいずれかに記載のロータ保守装置。
【請求項５】
前記ロータホルダーが、前記凹部に収容したロータシャフトの端部の抜けを防止するロータホルダーカバーを有することを特徴とする請求項４に記載のロータ保守装置。
【請求項６】
前記ロータホルダーカバーが、上端にフランジを有する筒状部体を複数に分割した割型からなり、該割型を前記ロータホルダーの上部側面に嵌合させて、前記凹部に収容したロータシャフトの端部の抜けを防止することを特徴とする請求項５に記載のロータ保守装置。
【請求項７】
前記シャフトローラ台は、回転面を対向させた一対のローラを有することを特徴とする請求項１乃至６のいずれかに記載のロータ保守装置。
【請求項８】
前記ロータ保持手段が、前記一方の支持架台に設けたスライド軸により前後方向に移動させることを特徴とする請求項１乃至７のいずれかに記載のロータ保守装置。
【発明の詳細な説明】
【技術分野】
【０００１】
本発明は、発電所等に用いられる発電機または電動機から、縦型に配置されたロータを抜き出し、抜き出したロータを横転させ、一対の支持架台上に載置して点検・補修等を行うロータ保守装置に関する。
【背景技術】
【０００２】
発電所等で用いられている発電機や電動機は、所定の期間毎の点検が義務付けられ、その点検時、あるいは、発電機や電動機に異常が生じた場合、発電機や電動機からロータを抜き出し、一対の支持架台にロータシャフトの端部をそれぞれ載置して回動可能に保持し、あるいは、クレーンにより水平に吊り下げ、ロータの異常の箇所の有無を点検し、異常があれば補修等を行っている。
【０００３】
発電機や電動機はロータを縦型に配置したものや横型に配置したものがあり、点検等を行う際に、ロータを横型に配置した発電機や電動機では、ロータを水平に抜き出せばよいことから、この抜き出しを機械的に行うことが提案され、このようなものとして、特許文献１（特開２００４−７２８９１号公報）では、発電機の側部上方に仮設作業床を設け、門型クレーンで発電機を仮設作業台と同じ位置となるようにリフトアップし、仮設作業床に設けたロータ引抜具の牽引装置をロータの端部に取り付け、牽引装置に連結したワイヤロープを駆動して、ロータを発電機から抜き出し、抜き出したロータをクレーンにより吊り上げ、点検、補修等に作業を行うようにしている。
【０００４】
しかしながら、ロータを縦型に配置した電動機や発電機では、クレーンで引き抜いたロータは、横転させた後、ロータシャフトの両端部を一対の支持架台上に夫々載置しなければならず、特に、発電所で用いている発電機では、ロータも数十トンという高重量であるため、これを機械的手段で横転させようとすると、横転装置の大型化が避けられず、しかも、点検、補修の頻度も低く、このような横転装置を用いると高コストになるため、クレーンの操作により横転させているのが現状である。
【０００５】
このクレーン操作による横転は、クレーンにより発電機から抜き出されたロータを、そのままクレーンに吊り下げた状態で一対の支持架台の一方の支持架台にロータシャフトの一方の端部を載せた後、その端部を支点として、クレーン操作により、他方の支持架台に向けて横転させ、ロータシャフトの端部をそれぞれ一対の支持架台上に載置しているが、発電所等で用いる発電機や電動機のロータは高重量であり、しかも、横転時に一方の支持架台上に載置されているロータシャフトの端部は自由端となっているため、位置決めが難しく、横転中のロータの重心移動に伴って、ロータの端部も支持台上を前後左右に移動し易く、また、回動もし易いため、支持架台から外れる危険もあることから、クレーンでロータを横転させて支持架台上に正確に載置するためには、熟練したクレーン操作を必要となるとともに、作業に長時間を要するという問題がある。
【発明の概要】
【発明が解決しようとする課題】
【０００６】
そこで、本発明は、上記の従来技術が有する問題に鑑みてなされたものであり、熟練したクレーン操作を必要とせずに、ロータを縦型に配置した発電機や電動機から抜き出されたロータを、安全且つ確実に横転させてロータ支持架台に短時間で載置できるロータ保守装置を提供することを目的とする。
【課題を解決するための手段】
【０００７】
本発明者らは、発電機や電動機から縦型に配置したロータをクレーン操作により抜き出し、横転させて一対の支持架台にロータのシャフトの夫々の端部を載置させる際に、一方の支持架台に、クレーンに吊り下げられたロータの下端部を支持するロータ保持手段を設け、この保持手段にボールジョイント設けると、ロータの端部が保持手段に固定された状態でロータを他方の支持架台に向けて安全に横転させることができるとともに、ボールジョイントが軸受としても機能するため、ロータ保持手段の取り外しをしなくとも、支持架台に載置されたロータが回動可能になり点検、補修ができること、さらに、保持手段を前後方向に移動させると、他方の支持架台に向けて正確にロータを横転できることを見出し、本発明を完成するに至った。
【０００８】
すなわち、上記課題は以下の本発明の（１）〜（８）によって解決される。
（１）発電機または電動機に縦型に配置したロータを抜き出し、抜き出されたロータを横転させ、一対の支持架台上に回転自在に載置してロータの点検・修理等を行うロータ保守装置であって、前記一対の支持架台の一方の支持架台には、該支持架台上を前後方向に移動可能なロータ保持手段を有し、該ロータ保持手段が、抜き出されたロータのシャフトの一端部を保持するロータホルダーと該ロータホルダーを上下方向に回動可能に支持するボールジョイントを備え、前記ボールジョイントは、前記ロータホルダーの底部に支柱を介して設けられたボールと、前記支持架台上を前後方向に移動可能に配置され、前記ボールを回転自在に保持するハウジングとから構成され、前記一対の支持架台の各々には、載置したロータを回転可能とするように、ロータのシャフトを支持するシャフトローラ台を有することを特徴とするロータ保守装置。
（２）前記ハウジングが、他方の支持架台に対向する部位に前記支柱が通過できるスリットが設けられていることを特徴とする前記第（１）項に記載のロータ保守装置。
（３）前記ハウジングが、保持されたボールの抜けを防止するハウジングカバーを有し、該ハウジングカバーが、前記支柱を通過させるスリットを有し、該スリットが前記ハウジングに設けたスリットと連通していることを特徴とする前記第（２）項に記載のロータ保守装置。
（４）前記ロータホルダーが、ロータシャフトの端部を収容する凹部を有する有底の筒状部材で形成されていることを特徴とする前記第（１）項乃至第（３）項のいずれかに記載のロータ保守装置。
（５）前記ロータホルダーが、前記凹部に収容したロータシャフトの端部の抜けを防止するロータホルダーカバーを有することを特徴とする前記第（４）項に記載のロータ保守装置。
（６）前記ロータホルダーカバーが、上端内面にフランジを有する筒状部体を複数に分割した割型からなり、該割型を前記ロータホルダーの上部側面に嵌合させて、前記凹部に収容したロータシャフトの抜けを防止することを特徴とする前記第（５）項に記載のロータ保守装置。
（７）前記シャフトローラ台は、回転面を対向させた一対のローラを有することを特徴とする前記第（１）項乃至第（６）項のいずれかに記載のロータ保守装置。
（８）前記ロータ保持手段が、前記一方の支持架台に設けたスライド軸により前後方向に移動することを特徴とする前記第（１）項乃至第（７）項のいずれかに記載のロータ保守装置。
【発明の効果】
【０００９】
本発明は、一方の支持架台に、ロータシャフトの一端部を保持するロータホルダーと、ロータホルダーを上下方向に回動可能に支持するボールジョイントを備えたロータ保持手段を設けているので、ロータの横転に際し、ロータシャフトの端部が保持手段に固定された状態でロータを他方の支持架台に向けて横転させることができるため、横転操作が安全確実に行うことができる。また、ロータ保持手段は前後方向に移動可能であるため、ロータの横転時にロータ保持手段を移動させることにより、クレーンにより吊り下げられ、シャフト端部をロータ保持手段で固定されているロータは、この移動にともなって、他方の支持架台に向けて傾くため、横転方向を正確にでき、以後のクレーン操作による横転作業を容易に行うことができる。さらに、ボールジョイントはロータホルダーの軸受としても機能するので、一対の支持架台に載置されたロータは、ロータホルダーを取り外さなくとも回転できるので、ロータの点検、補修を容易に行うことができる。
【００１０】
また、ボールジョイントを、ロータホルダーの底部に支柱を介して設けられたボールと、ボールを回転自在に保持するハウジングとから構成し、ハウジングに、他方の支持架台と対向する部位に前記支柱が通過できるスリットを設けると、ロータ横転時に、このスリットがボールに設けた支柱のガイドとなるため、横転方向をより正確にできる。
【００１１】
さらに、ハウジングに配置するハウジングカバーを、ボールに設けた支柱を通過させるスリットを設け、ハウジングに設けたスリットと連通させると、ボールに設けた支柱の障害にならず、ハウジングへの取り付を容易に行うことができる。
【００１２】
また、ロータホルダーを、ロータシャフトの端部を収容する凹部を有する有底の筒状部材で形成し、ロータホルダーカバーを、上端内面にフランジを有する筒状部体を複数に分割した割型で構成すると、この割型をロータホルダーカバーの上部側面に嵌合させることにより、ロータシャフトの抜け止めとなるため、ロータホルダーへの取り付けを容易に行うことができる。
【００１３】
また、シャフトローラ台に設けるローラを、回転面を対向させた一対のローラとすると、一対に支持架台に載置されたロータは、この一対のローラ間で支持されるので、ロータの回動が容易になるとともに、左右方向の移動が阻止されるので、安全且つ迅速に点検等の作業を行うことができる。
【００１４】
ロータ保持手段の前後方向の移動を、一方の支持架台に設けたスライド軸の進退で行えば、ロータ保持手段の移動が容易であり、その移動位置も正確に設定できる。
【図面の簡単な説明】
【００１５】
【図１】ロータ保守装置の一部を断面で表した正面図であり、ロータを載置した状態を示したものである。
【図２】ロータ保守装置の上面図であり、ロータを載置した状態を示したものである。
【図３】ロータ保守装置の要部を示し、その一部を断面で表した正面図であり、ロータを載置した状態を示したものである。
【図４】図３において、その一部を断面で表した側面図である。
【図５】ロータホルダーを示し、（ａ）は、ロータホルダーカバーの正面断面図、（ｂ）は、ロータホルダーの正面断面図である。
【図６】ボールジョイントのボールの正面図である。
【図７】ボールジョイントのハウジングを示し、（ａ）は、ハウジングカバーの上面図、（ｂ）は、ハウジングカバーの正面断面図、（ｃ）は、ハウジング本体の正面断面図、（ｄ）は、ハウジング本体の側面断面図である。
【図８】シャフトローラ台を示し、（ａ）は、正面図、（ｂ）は、上面図である。
【発明を実施するための形態】
【００１６】
本発明のロータ保守装置は、横転させたロータを載置する一対の支持架台を備え、一方の支持架台に、支持架台上を前後方向に移動可能なロータ保持手段を設け、ロータ保持手段を、抜き出されたロータのシャフトの一端部を保持するロータホルダーとロータホルダーの下部に設けられ、ロータホルダーを上下方向に回動可能に支持するボールジョイントとで構成し、さらに、一対の支持架台の各々には、ロータのシャフトを支持するシャフトローラ台を備えることにより、発電機または電動機から縦型に配置したロータをクレーンにより抜き出し、横転させて一対の支持架台に載置する際に、安全、確実にロータを横転させてロータ支持架台上に載置できるとともに、載置したロータを回転自在に保持できるものである。
【００１７】
以下、図面の実施例に基づいて、本発明を詳細に説明する。
図１、２に示すように、本発明のロータ保守装置（１００）は、横転させたロータ（Ｒ）のシャフト（Ｒ１）の両端を夫々支持する一対の支持架台（１１０）、（１２０）を有し、これらはＨ型鋼を用いて直方体状に形成されている。
【００１８】
また、一方の支持架台（１１０）（以下、負荷側支持架台という。）には、ロータホルダー（１４０）とボールジョイント（１５０）とからなるロータ保持手段（１３０）が設けられ、負荷側支持架台（１１０）と他方の支持架台（１２０）（以下、反負荷側支持架台という。）には、載置されたロータ（Ｒ）を回転可能とするように、ロータシャフト（Ｒ１）の両端部を支持するシャフトローラ台（１９０）が設けられている。
【００１９】
図３、４に示すように、負荷側支持架台（１１０）には、ロータ保持手段（１３０）を前後方向に移動可能に支持する一対のリニアレール（１１１）、（１１２）が両側に設けられ、中央には、ロータ保持手段（１３０）を前後方向に移動させるスライド軸（１１３）が設けられている。また、スライド軸（１１３）には、螺条が形成され、一端部にハンドル（１１４）が設けられ、ハンドル（１１４）の回転によりスライド軸（１１３）を進退させるようにしている。
【００２０】
ロータ保持手段（１３０）は、ロータホルダー（１４０）とボールジョイント（１５０）を有し、ロータ（Ｒ）は、ロータシャフト（Ｒ１）の端部にリング（ｒ）を装着して大径部（Ｒ１ａ）とし、このリング（ｒ）とロータホルダー（１４０）とでカップリングを形成することで、ロータホルダー（１４０）にロータ（Ｒ）を保持させるようにしている。
【００２１】
また、ボールジョイント（１５０）は、ロータホルダー（１４０）の底部に設けられたボール（１６０）と、このボール（１６０）を支持するケーシング（１７０）とから構成され、ケーシング（１７０）は、ボール（１６０）を支持するケーシング本体（１７１）と板状のベース（１７２）とを有し、ケーシング本体（１７１）の底部をベース（１７２）にねじ等により螺着して一体化している。
【００２２】
ベース（１７２）の底部には、負荷側支持架台（１１０）に設けた一対のリニアレール（１１１）、（１１２）に嵌合する一対のガイド部材（１７３）が設けられ、ロータ保持手段（１３０）を、左右方向への動きを規制しながら、前後方向へ摺動させるようにしている。また、負荷側支持架台（１１０）に設けたスライド軸（１１３）の他端は、ベース（１７２）に取り付けられており、ハンドル（１１４）の回転操作によりスライド軸（１１３）を進退させて、ロータ保持手段（１３０）が負荷側支持架台（１１０）上を前後方向に移動するようにしている。
【００２３】
図５に示すように、ロータホルダー（１４０）は、有底の円筒状部材からなり、その凹部（１４１）にロータシャフト（Ｒ１）の端部の大径部（Ｒ１ａ）を収容するようにしている。また、ロータホルダー（１４０）の底部には、円筒状のボール保持部（１４２）が形成され、その内面には螺条が形成されている。
【００２４】
また、ロータホルダー（１４０）の上部には、ロータシャフト（Ｒ１）の大径部（Ｒ１ａ）を凹部（１４１）に収容した際に、大径部（Ｒ１ａ）の抜けを防止するロータホルダーカバー（１４３）を設けている。ロータホルダーカバー（１４３）は、一対の半円筒状部材（１４４）、（１４５）からなる割型であり、これらの上端内面にはフランジ（１４６）、（１４７）が設けられ、一対の半円筒状部材（１４４）、（１４５）をロータホルダー（１４０）に装着した際に、フランジ（１４６）、（１４７）により、ロータシャフト（Ｒ１）よりも大径で、シャフト端部の大径部（Ｒ１ａ）よりも小径の開口（１４８）が形成され、半円筒状部材（１４４）、（１４５）をロータホルダー（１４０）の上部に対向するように装着し、ねじによりロータホルダー（１４０）の側面に固定することにより、ロータホルダー（１４０）の凹部（１４１）に収容したロータ（Ｒ）の大径部（Ｒ１ａ）を係止して、ロータ（Ｒ）の抜けを防止するようにしている。
【００２５】
図６に示すように、ボールジョイント（１５０）を構成するボール（１６０）は、円柱状の支柱（１６１）を有し、円柱状の支柱（１６１）の上部（１６１ａ）の外面には螺条が形成され、ロータホルダー（１４０）に設けた円筒状のボール保持部（１４２）に、支柱（１６１）の上部（１６１ａ）を螺着することにより、ロータホルダー（１４０）とボール（１６０）とを着脱可能に一体化しするようにしている。
【００２６】
図７に示すように、ケーシング本体（１７１）は、円柱状部材からなり、その内部には、ロータホルダー（１４０）に設けたボール（１６０）を収容する凹部（１７４）が形成されている。この凹部（１７４）は、横断面が円形の空間部（１７５）とその下部に連接した円錐台状の空間部（１７６）とで構成され、凹部（１７４）に収容されたボール（１６０）との接触面積を小さくして、ボール（１６０）の回動をスムースにするとともに、凹部（１７４）の底部には、リン青銅からなる底板（１７７）が嵌め込まれ、ボール（１６０）との当たり面の摺動性を向上させ、ボール（１６０）のかじりを防止している。
【００２７】
また、ケーシング本体（１７１）の側面には、反負荷側支持架台（１２０）に対向する部位に、ケーシング本体（１７１）の凹部（１７４）と連通するスリット（１７８）が形成され、ロータ（Ｒ）を横転させる際、ボール（１６０）に設けた支柱（１６１）が上下方向に回動できるようにするとともに、ロータ（Ｒ）を横転させた際のガイドとなって、反負荷側支持架台（１２０）に向けて正確に横転させることができるようにしている。
【００２８】
さらに、ケーシング本体（１７１）の上部には、ボール（１６０）をケーシング本体（１７１）の凹部（１７４）に収容した際、ボール（１６０）の抜けを防止するケーシングカバー（１８０）が設けられている。
【００２９】
ケーシングカバー（１８０）は、ケーシング本体（１７１）と同径の円板状部材で形成され、その下部には、ケーシング本体（１７１）の凹部（１７４）に嵌合するリブ（１８１）が設けられている。リブ（１８１）の内面は下方に拡開した傾斜面（１８１ａ）とし、ケーシング本体（１７１）の凹部（１７４）とともに、収容されたボール（１６０）を支持するようにしている。また、ケーシングカバー（１８０）には、スリット（１８２）が設けられ、このスリット（１８２）を介してケーシング本体（１７１）の側面から挿入してケーシング本体（１７１）上にケーシングカバー（１８０）を取り付けるようにしている。また、このスリット（１８２）は、ハウジング本体（１７１）に設けたスリット（１７８）と連通させ、ボール（１６０）に設けた支柱（１６１）が上下方向に回動できるようにしている。
【００３０】
図８に示すように、負荷側支持架台（１１０）と反負荷側支持架台（１２０）に設けたシャフトローラ台（１９０）は、回転面を対向させた一対のローラ（１９１）、（１９２）を有し、一対のローラ（１９１）、（１９２）は、ローラハウジング（１９３）に配置され、ローラハウジング（１９３）は、板状のベース（１９４）上に対向配置された一対の板状体（１９５）、（１９６）と、これらの両端に設けた側板（１９７）、（１９８）により形成され、ローラ（１９１）、（１９２）のシャフト（１９１ａ）、（１９２ａ）を一対の板状体（１９５）、（１９６）で支承させている。そして、ロータ（Ｒ）を一対の支持架台（１１０）、（１２０）に載置した際、ロータシャフト（Ｒ１）が一対のローラ（１９１）、（１９２）の間で支持して、ロータ（Ｒ）を回転可能にすると共に、左右方向の移動を阻止するようにしている。
形成しているが、ロータシャフト（Ｒ１）の端部を収容できる凹部（１４１）を有すれば
【００３１】
このように、本発明のロータ保守装置（１００）は、ロータ保持手段（１３０）がボールジョイント（１５０）を有するので、ロータ（Ｒ）を縦型に配置した発電機または電動機からクレーンにより抜き出したロータ（Ｒ）のロータシャフト（Ｒ１）の端部をロータホルダー（１４０）で固定しながら、横転させることができるので、安全且つ正確に一対の支持架台（１１０）、（１２０）に載置でき、さらに、支持台（１１０）に載置されたロータ（Ｒ）は、シャフトローラ台（１９０）の一対のローラ（１９１）、（１９２）により左右方向の移動を阻止しながら回転できるので、ロータ（Ｒ）の点検や補修等の保守作業を容易に行うことができる。
【００３２】
なお、この実施例は本発明の一例であって、種々の変更が可能である。例えば、上記実施例では、支持架台（１１０）、（１２０）をＨ型鋼で直方体状に形成しているが、ロータ（Ｒ）を載置できる剛性を有するものであれば、その形状はテーブル状、箱状等いずれのものでもよく、構成する部材もＨ型鋼に限らず、他の形鋼あるいはアルミニウム等の他の素材を用いても構わない。
【００３３】
また、実施例では、ロータホルダー（１４０）を、ロータシャフト（Ｒ１）の端部を内部に収容できるように有底の円筒状部材で形成しているが、ロータシャフト（Ｒ１）の端部を収容できる凹部（１４１）を有すれば、その形状は、多角形の筒状体等いずれのものでもよい。
【００３４】
さらに、ロータホルダーカバー（１４３）を、二つの半円筒状部材（１４４）、（１４５）からなる割型としているが、三つ以上の割型としてもよく、また、ロータホルダー（１４０）の凹部（１４１）上に突出するように、複数の断面Ｌ字状の部材をカバーとしてもよい。
【００３５】
ボール（１６０）を支持するケーシング本体（１７１）も、ボール（１６０）を収容できる凹部（１７４）を形成できれば、その形状はいずれのものでもよく、その凹部（１７４）の内面を球面状としてもよい。また、ケーシング（１７０）をケーシング本体（１７１）とベース（１７２）で構成し、これらを螺着で一体化しているが、溶接等で固着してもよく、ケーシング本体（１７１）のみで構成してもよい。
【００３６】
また、載置されたロータシャフト（Ｒ１）を回転可能に支持する一対のローラ（１９１）、（１９２）は、自由回転でも、一方あるいは両方を駆動ローラとして、載置されたロータを強制的に回転させてもよく、３つ以上のローラでロータシャフト（Ｒ１）を支持してもよい。
【００３７】
さらに、ロータ保持手段（１３０）を前後方向に移動させる手段としては、スライド軸（１１３）の進退で行っているが、スライド軸（１１３）の螺条に係合する螺条を有する部材をベース（１７１）の底部等に設け、スライド軸（１１３）の回転で、ローラ保持手段（１３０）を移動させてもよく、ワイヤ等の牽引手段で移動させてもよい。
【００３８】
次に、本発明のロータ保守装置（１００）を用いて一対の支持架台（１１０）、（１２０）にロータ（Ｒ）を載置する操作について説明する。
まず、縦型に配置した発電機のロータ（Ｒ）の一端面に設けた把持部（図示せず）にクレーン（図示せず）のフックを係合させた後、発電機や電動機からロータＲを縦方向に抜き出し、抜き出したロータをクレーンに吊り下げた状態で、一対の支持架台（１１０）、（１２０）の近傍に移動させる。
【００３９】
次いで、ロータホルダー（１４０）を、下端部にリング（ｒ）を装着したロータシャフト（Ｒ１）のロータ大径部（Ｒ１ａ）に取り付ける。この取り付けは、予め、ボール（１６０）を設けたロータホルダー（１４０）を保持台（図示せず）に載置し、ロータホルダー（１４０）の凹部（１４１）に、クレーンを操作してロータシャフト（Ｒ１）の大径部（Ｒ１ａ）を挿入し、ロータホルダーカバー（１４３）を構成する二つ割りした半円筒状部材（１４４）、（１４５）をロータホルダー（１４０）の両側からその上部に装着し、ねじ等でロータホルダー（１４０）に固定することにより、ロータシャフト（Ｒ１）の取り付が完了する。
【００４０】
なお、ボール（１６０）は、ロータシャフト（Ｒ１）の大径部（Ｒ１ａ）にロータホルダー（１４０）を取り付けた後、ロータホルダー（１４０）に取り付けてもよいが、クレーンにより吊り下げられたロータ（Ｒ）の端部は自由端なので、動き易く、取り付け作業が難しくなるので、予め球状体（１６０）をロータホルダー（１４０）に取り付けた後、ロータ（Ｒ）を取り付けることが好ましい。
【００４１】
このようにして、ロータシャフト（Ｒ１）の大径部（Ｒ１ａ）にロータホルダー（１４０）を取り付けた後、クレーンにより負荷側支持架台（１１０）上に移動させる。負荷側支持架台（１１０）には、ボール（１６０）を収容する凹部（１７４）を備えたケーシング（１７０）が配置されているので、その凹部（１７４）に、ロータホルダー（１４０）に設けたボール（１６０）を挿入し、ケーシングカバー（１８０）をケーシング本体（１７１）の上面に取り付ける。その際、ケーシングカバー（１８０）には、ボール（１６０）に設けた支柱（１６１）が通過できるスリット（１８２）が設けてあるので、ケーシング本体（１７１）の上部側方から、スリット（８２）を介してハウジング本体（１７１）の上面に載置し、ねじ止め等でケーシング本体（１７１）に固定する。
【００４２】
次いで、ロータシャフト（Ｒ１）の下端部をロータ保持手段（１３０）で固定したロータ（Ｒ）は、ロータシャフト（Ｒ１）の上端部がクレーンにより保持されているので、クレーンのワイヤを繰り出すと、ボールジョイント（１５０）の回動により、ロータ（Ｒ）は、ロータシャフト（Ｒ１）の端部がロータホルダーに固定した状態で反負荷側支持架台（１２０）に向けて横転させることができる。この横転に際し、ロータシャフト（Ｒ１）の大径端部（Ｒ１ａ）を保持したロータ保持手段（１３０）は、ロータ（Ｒ）を一対支持架台（１１０）、（１２０）に載置した際の所定の位置よりも前方に位置させているので、負荷側支持架台（１１０）に設けたスライド軸（１１３）の回転操作により、ロータ保持手段（１３０）を後方に移動させると、ロータ保持手段（１３０）の移動に伴って、ロータ保持手段（１３０）に固定したロータシャフト（Ｒ１）の端部も後方に移動し、ロータ（Ｒ）が反負荷側支持架台（１２０）の方向に傾くため、さらにクレーンのワイヤを繰り出すと、ハウジング（１７０）に設けたスリット（１７４）をガイドとして、反負荷側支持架台（１２０）に向けて正確に横転させることができる。
【００４３】
このように、横転させたロータ（Ｒ）は、ロータシャフト（Ｒ１）の両端部が一対の支持架台（１１０）、（１２０）に設けたシャフトローラ台（１９０）の一対のローラ（１９１）、（１９２）の間に載置され、この一対のローラ（１９１）、（１９２）により回転可能となっているので、ロータ（Ｒ）を回転させて点検を行い、異常等あれば、ロータ（Ｒ）の回転を停止して補修等を行う。この際、ロータ（Ｒ）のシャフト（Ｒ１）は、一対のローラ（１９１）、（１９２）間に載置されているので、左右方向の移動もなく、安全に点検等の作業を行うことができる。
【符号の説明】
【００４４】
１００・・・ロータ保守装置
１１０・・・負荷側支持架台
１１１、１１２・・・リニアレール
１１３・・・スライド軸
１１４・・・ハンドル
１２０・・・反負荷側支持架台
１３０・・・ロータ保持手段
１４０・・・ロータホルダー
１４１・・・凹部
１４２・・・ボール保持部
１４３・・・ロータホルダーカバー
１４４、１４５・・・半円筒状部材
１４６、１４７・・・フランジ
１４８・・・開口
１５０・・・ボールジョイント
１６０・・・ボール
１６１・・・支柱
１６１ａ・・・支柱上部
１７０・・・ハウジング
１７１・・・ハウジング本体
１７２・・・ベース
１７３・・・ガイド部材
１７４・・・凹部
１７５、１７６・・・空間部
１７７・・・底板
１７８・・・スリット
１８０・・・ケーシングカバー
１８１・・・リブ
１８１ａ・・・傾斜面
１８２・・・スリット
１９０・・・シャフトローラ台
１９１、１９２・・・ローラ
１９１ａ、１９２ａ・・・シャフト
１９３・・・ハウジング
１９４・・・ベース
１９５、１９６・・・板状体
１９７、１９８・・・側板
Ｒ    ・・・ロータ
Ｒ１  ・・・ロータシャフト
Ｒ１ａ・・・大径部
ｒ    ・・・リング
【先行技術文献】
【特許文献】
【００４５】
【特許文献１】特開２００４−７２８９１号公報
【図１】
0005711524.tif 000002
【図２】
0005711524.tif 000003
【図３】
0005711524.tif 000004
【図４】
0005711524.tif 000005
【図５】
0005711524.tif 000006
【図６】
0005711524.tif 000007
【図７】
0005711524.tif 000008
【図８】
0005711524.tif 000009